【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
（ａ）少なくとも１個の式（１）： 
【化１】
2006527296.tif 000001
［式中、
Ｒ１及びＲ２は、互いに独立して、水素、置換されていないＣ１〜Ｃ８のアルキル又は置換されているＣ１〜Ｃ８のアルキルであり、
Ｘ１、Ｘ２、Ｘ３及びＸ４は、互いに独立して、−Ｎ（Ｒ３）Ｒ４又は−ＯＲ５であって、ここで、
Ｒ３及びＲ４は、互いに独立して、水素、シアノ、置換されていないＣ１〜Ｃ８のアルキル、置換されているＣ１〜Ｃ８のアルキル、置換されていないＣ５〜Ｃ７のシクロアルキル若しくは置換されていないＣ５〜Ｃ７のシクロアルキルであるか、或いは
Ｒ３及びＲ４は、それらを結合している窒素原子とともに複素環を形成し、
Ｒ５は、置換されていないＣ１〜Ｃ８のアルキル又は置換されているＣ１〜Ｃ８のアルキルであり、並びに
Ｍは、水素又はカチオンである］の化合物５〜６０重量％（漂白配合物全重量を基準）、
（ｂ）少なくとも１個のアニオン性多糖類０．０１〜１重量％（漂白配合物全重量を基準）、
（ｃ）少なくとも１個の電解質０〜２５重量％（漂白配合物全重量を基準）、
（ｄ）少なくとも１個の分散剤０〜２０重量％（漂白配合物全重量を基準）、
（ｅ）少なくとも１個の更に別の蛍光漂白剤０〜３０重量％（漂白配合物全重量を基準）、
（ｆ）少なくとも１個の更に別の任意の選択成分０〜２０重量％（漂白配合物全重量を基準）、並びに
（ｇ）１００重量％にするための水
を含む貯蔵安定性の蛍光漂白配合物。
【請求項２】
少なくとも１個の式（１）：
［式中、
Ｒ１及びＲ２は、互いに独立して、水素又はＣ１〜Ｃ４のアルキル、特に水素であり、
Ｘ１、Ｘ２、Ｘ３及びＸ４は、互いに独立して、式−Ｎ（Ｒ３）Ｒ４で表される基であって、ここで
Ｒ３及びＲ４は、好ましくは、互いに独立して、水素、シアノ、置換されていないＣ１〜Ｃ８アルキル又はヒドロキシ、カルボキシ、シアノ、−ＣＯＯＨ、Ｈ２ＮＣ（ＮＨ）ＮＨ２、−ＣＯＮＨ２若しくはフェニルで置換されているＣ１〜Ｃ８アルキル（Ｃ１〜Ｃ８アルキル基は−Ｏ−で中断されていないか又は中断されている）、置換されていないＣ５〜Ｃ７シクロアルキル又はＣ１〜Ｃ４アルキルで置換されているＣ５〜Ｃ７シクロアルキルであるか、或いは
Ｒ３及びＲ４は、それらを結合している窒素原子とともに、置換されていないモルホリノ、ピペリジン若しくはピロリジン環又はＣ１〜Ｃ４アルキルで置換されているモルホリノ、ピペリジン若しくはピロリジン環を形成している］の化合物５〜６０重量％（漂白配合物全重量を基準）を含む、請求項１記載の貯蔵安定性の蛍光漂白配合物。
【請求項３】
少なくとも１個の式（１）：
［式中、
Ｘ１及びＸ３は、−ＮＨ２であり、
Ｘ２及びＸ４は、互いに独立して、式−Ｎ（Ｒ３）Ｒ４で表される基であって、ここで
Ｒ３及びＲ４は、互いに独立して、水素、シアノ、置換されていないＣ１〜Ｃ８アルキル又はヒドロキシ、カルボキシ、−ＣＯＯＨ、シアノ、−ＣＯＮＨ２、−ＮＨＣ（ＮＨ）ＮＨ２、若しくはフェニルで置換されているＣ１〜Ｃ８アルキル、（Ｃ１〜Ｃ８アルキル基は−Ｏ−で中断されていないか又は中断されている）置換されていないシクロヘキシル又はＣ１〜Ｃ４アルキルで置換されているシクロヘキシルであるか、或いは
Ｒ３及びＲ４は、それらを結合している窒素原子とともに、置換されていないモルホリノ、ピペリジン若しくはピロリジン環又はＣ１〜Ｃ４アルキルで置換されているモルホリノ、ピペリジン若しくはピロリジン環を形成している］の化合物５〜６０重量％（漂白配合物全重量を基準）を含む、請求項１記載の貯蔵安定性の蛍光漂白配合物。
【請求項４】
少なくとも１個の式（１）の化合物５〜５０重量％、好ましくは１０〜５０重量％（漂白配合物全重量を基準）を含む、請求項１〜３のいずれか１項記載の貯蔵安定性の蛍光漂白配合物。
【請求項５】
アニオン性多糖類が、アルギン酸ナトリウム、カルボキシメチル化グアール、カルボキシメチルセルロース、カルボキシメチル澱粉、カルボキシメチル化イナゴマメ粉及びキサンタンガムから成る群から選択される、請求項１〜４のいずれか１項記載の貯蔵安定性の蛍光漂白配合物。
【請求項６】
少なくとも１個のアニオン性多糖類０．０５〜０．５重量％、好ましくは０．１〜０．３重量％（漂白配合物全重量を基準）を含む、請求項１〜５のいずれか１項記載の貯蔵安定性の蛍光漂白配合物。
【請求項７】
電解質又は電解質の混合物が、アルカリ金属塩及び低級カルボン酸から成る群から選択される、請求項１〜６のいずれか１項記載の貯蔵安定性の蛍光漂白配合物。
【請求項８】
少なくとも１個の電解質０．５〜２０重量％、好ましくは０．５〜１５重量％（漂白配合物全重量を基準）を含む、請求項１〜７のいずれか１項記載の貯蔵安定性の蛍光漂白配合物。
【請求項９】
分散剤又は分散剤の混合物が、アルキルベンゼンスルホン酸塩、アルキル−又はアルケニルエーテルスルホン酸塩、飽和又は不飽和脂肪酸、アルキル−又はアルキレンエーテルカルボン酸塩、スルホ脂肪酸塩又は−エステル、燐酸エステル、ポリオキシエチレンアルキル−又はアルケニルエーテル、ポリオキシエチレンアルキルビニルエーテル、ポリオキシプロピレンアルキル−又は−アルケニルエーテル、ポリオキシブチレンアルキル−又は−アルケニルエーテル、高級脂肪酸のアルカノールアミド又はアルキレンオキシドとの付加物、ショ糖／脂肪酸エステル、脂肪酸／グリコールモノエステル、アルキルアミンオキシド及び芳香族スルホン酸とホルムアルデヒドとの縮合生成物並びにリグニンスルホン酸塩から成る群から選択される、請求項１〜８のいずれか１項記載の貯蔵安定性の蛍光漂白配合物。
【請求項１０】
少なくとも１個の分散剤０．１〜２０重量％、好ましくは０．１〜１０重量％（漂白配合物全重量を基準）を含む、請求項１〜９のいずれか１項記載の貯蔵安定性の蛍光漂白配合物。
【請求項１１】
少なくとも１個の更に別の式（２）：
【化２】
2006527296.tif 000002
［式中、
Ｒ６及びＲ８は、互いに独立して、水素、置換されていないＣ１〜Ｃ８アルキル又は置換されているＣ１〜Ｃ８アルキルであり、
Ｒ７及びＲ９は、互いに独立して、水素、置換されていないフェニル、置換されていないＣ１〜Ｃ８アルキル若しくは置換されているＣ１〜Ｃ８アルキルであるか、又は
ＮＲ６Ｒ７及び／若しくはＮＲ８Ｒ９がモルホリノ環を形成し、並びに
Ｍは、水素又はカチオンである］の蛍光漂白剤を含む、請求項１〜１０のいずれか１項記載の貯蔵安定性の蛍光漂白配合物。
【請求項１２】
Ｒ６及びＲ８が、互いに独立して、水素、置換されていないＣ１〜Ｃ２アルキル又はヒドロキシ若しくはＣ１〜Ｃ４アルコキシで置換されているＣ１〜Ｃ４アルキルであり、
Ｒ７及びＲ９が、互いに独立して、置換されていないフェニル、置換されていないＣ１〜Ｃ２アルキル又はヒドロキシ若しくはＣ１〜Ｃ４アルコキシで置換されているＣ１〜Ｃ４アルキルであり、或いは
ＮＲ６Ｒ７及び／又はＮＲ８Ｒ９が、モルホリノ環を形成し、並びに
Ｍが、アルカリ金属原子である請求項１１記載の貯蔵安定性の蛍光漂白配合物。
【請求項１３】
少なくとも１個の更に別の式（３）：
【化３】
2006527296.tif 000003
［式中、
Ｒ１０及びＲ１１は、互いに独立して、水素、Ｃ１〜Ｃ８アルキル、Ｃ１〜Ｃ８アルコキシ又はハロゲンであり、並びにＭは水素又はカチオンである］の蛍光漂白剤を含む、請求項１〜１２のいずれか１項記載の貯蔵安定性の蛍光漂白配合物。
【請求項１４】
少なくとも１個の更に別の式（２）及び／又は式（３）の蛍光漂白剤０〜２５重量％、好ましくは０〜２０重量％を含む、請求項１〜１３のいずれか１項記載の貯蔵安定性の蛍光漂白配合物。
【請求項１５】
任意の選択成分が防腐剤、ケイ酸（Ｍｇ／Ａｌ）、消臭剤、芳香剤、消泡剤、ビルダー、保護コロイド、安定剤、金属イオン封鎖剤及び凍結防止剤から成る群から選択される、請求項１〜１４のいずれか１項記載の貯蔵安定性の蛍光漂白配合物。
【請求項１６】
少なくとも１個の任意の選択成分０．１〜２０重量％、好ましくは０．１〜１０重量％、特に好ましくは０．２〜５重量％、（漂白配合物全重量を基準）を含む、請求項１〜１５のいずれか１項記載の貯蔵安定性の蛍光漂白配合物。
【請求項１７】
式（１）の蛍光漂白物の湿潤ろ過ケーキ又は乾燥粉末を、少なくとも１個のアニオン性多糖類及び水と混合する工程、及び配合物をホモジナイズする工程を含む、請求項１〜１６のいずれか１項記載の貯蔵安定性の蛍光漂白配合物の製造方法。
【請求項１８】
洗剤組成物を製造するための、請求項１〜１６のいずれか１項記載の貯蔵安定性の蛍光漂白配合物の使用。